(57)【要約】【課題】潤滑油以外の汚染源（薬品等）による汚染の管理を容易にする製造ラインの管理方法及び潤滑油組成物を提供すること。【解決手段】潤滑油が使用される製造ラインにおいて、アニリン点と４０℃における動粘度とが式（１）：０．４×（アニリン点）−１５×ｌｏｇ（４０℃における動粘度）≧２０    （１）で表される条件を満たす基油を潤滑油組成物全量基準で５０質量％以上含有し、且つ、ブラックライトにより紫外線を照射したときに可視光を発光しない潤滑油組成物を用い、紫外線に対して発光性を有する物質による製品の汚染、汚損又は劣化を、該製品に紫外線を照射して看視する、製造ラインの管理方法。【選択図】図１
2014095024.tif 000002
【特許請求の範囲】
【請求項１】
潤滑油が使用される製造ラインにおいて、アニリン点と４０℃における動粘度とが下記式（１）：
０．４×（アニリン点）−１５×ｌｏｇ（４０℃における動粘度）≧２０    （１）
で表される条件を満たす基油を潤滑油組成物全量基準で５０質量％以上含有し、且つ、ブラックライトにより紫外線を照射したときに可視光を発光しない潤滑油組成物を用い、紫外線に対して発光性を有する物質による製品の汚染、汚損又は劣化を、該製品に紫外線を照射して看視する、製造ラインの管理方法。
【請求項２】
アニリン点と４０℃における動粘度とが下記式（１）：
０．４×（アニリン点）−１５×ｌｏｇ（４０℃における動粘度）≧２０    （１）
で表される条件を満たす基油を潤滑油組成物全量基準で５０質量％以上含有し、且つ、ブラックライトにより紫外線を照射したときに可視光を発光しない潤滑油組成物。
【請求項３】
前記基油が下記（Ａ）、（Ｂ）及び（Ｃ）からなる群より選ばれる少なくとも１種である、請求項２に記載の潤滑油組成物。
（Ａ）４０℃における動粘度が１〜５００ｍｍ２／ｓである水素化精製鉱油。
（Ｂ）エチレン、プロピレン及びαオレフィンから選ばれる少なくとも１種の重合性単量体から合成される重合体。
（Ｃ）スラックワックス及び／又はフィッシャートロプシュワックスを水素化異性化して得られる潤滑油留分。
【請求項４】
紡績機、織機、編み機、食品もしくは化粧品関連製品の製造装置又は塗装ラインの潤滑に使用される、請求項２又は３に記載の潤滑油組成物。
【発明の詳細な説明】
【技術分野】
【０００１】
本発明は潤滑油組成物及び製造ラインの管理方法に関し、特に紡績機、織機又は編み機などの、潤滑油を含む薬剤類による汚染を嫌う製品の製造装置で使用される潤滑油組成物、ならびに該潤滑油組成物を用いた製造ラインの管理方法に関する。
【背景技術】
【０００２】
紡績機、織機又は編み機による繊維、織物、ニット製品などの製造ラインにおいて、各部に潤滑油が使用されている。このような製造ラインにおいて、潤滑油が漏洩・飛散などして製品を汚染・汚損することがある。そのため、従来、潤滑油に蛍光染料を添加し、ブラックライトの紫外線を照射して可視光を発光させ、汚染を可視化して製品管理する方法が行われている。
【０００３】
また、繊維、織物、ニット製品等の偽造防止のために、織ラベルとして蛍光繊維が織り込まれた製品が開発されている（例えば、特許文献１）。
【０００４】
さらに、食品や化粧品関連製品の製造装置あるいは塗装ラインにおいても、潤滑油による製品の汚染は避けなければならない。そのため、汚染物の可視化管理が求められている。
【先行技術文献】
【特許文献】
【０００５】
【特許文献１】特開２００７−９２２５４号公報
【発明の概要】
【発明が解決しようとする課題】
【０００６】
本発明者の知見によれば、紡績機、織機あるいは編み機による繊維、織物及びニット製品の製造ラインなど多くの製造ラインにおいては、潤滑油の他に消臭剤、ホルマリンなど合成化学薬品の複数の汚染源がある。そのため、ブラックライトの照射により潤滑油が発光すると、潤滑油以外の汚染源を見分けることが困難になる。
【０００７】
また、ブラックライトの照射により潤滑油が発光すると、織ラベルとして蛍光繊維が織り込まれた製品の管理にも支障がある。
【０００８】
さらに、複数の潤滑油を用いている場合には、汚染源を１つの潤滑油に特定することが難しい。
【０００９】
本発明は、このような実情に鑑みてなされたものであり、その目的は、潤滑油以外の汚染源（薬品等）による汚染の管理を容易にする製造ラインの管理方法及び潤滑油組成物を提供することにある。
【課題を解決するための手段】
【００１０】
本発明は、上記の課題を解決するために、下記［１］に示す製造ラインの管理方法、並びに下記［２］〜［４］に示す潤滑油組成物を提供する。
［１］潤滑油が使用される製造ラインにおいて、アニリン点と４０℃における動粘度とが下記式（１）：
０．４×（アニリン点）−１５×ｌｏｇ（４０℃における動粘度）≧２０    （１）
で表される条件を満たす基油を潤滑油組成物全量基準で５０質量％以上含有し、且つ、ブラックライトにより紫外線を照射したときに可視光を発光しない潤滑油組成物を用い、紫外線に対して発光性を有する物質による製品の汚染、汚損又は劣化を、該製品に紫外線を照射して看視する、製造ラインの管理方法。
［２］アニリン点と４０℃における動粘度とが下記式（１）：
０．４×（アニリン点）−１５×ｌｏｇ（４０℃における動粘度）≧２０    （１）
で表される条件を満たす基油を潤滑油組成物全量基準で５０質量％以上含有し、且つ、ブラックライトにより紫外線を照射したときに可視光を発光しない潤滑油組成物。
［３］前記基油が下記（Ａ）、（Ｂ）及び（Ｃ）からなる群より選ばれる少なくとも１種である、［２］に記載の潤滑油組成物。
（Ａ）４０℃における動粘度が１〜５００ｍｍ２／ｓである水素化精製鉱油。
（Ｂ）エチレン、プロピレン及びαオレフィンから選ばれる少なくとも１種の重合性単量体から合成される重合体。
（Ｃ）スラックワックス及び／又はフィッシャートロプシュワックスを水素化異性化して得られる潤滑油留分。
［４］紡績機、織機、編み機、食品もしくは化粧品関連製品の製造装置又は塗装ラインの潤滑に使用される、［２］又は［３］に記載の潤滑油組成物。
【発明の効果】
【００１１】
本発明の製造ラインの管理方法及び潤滑油組成物は、潤滑油以外の汚染源（薬品等）による汚染の管理を容易に行うことが出来る、という優れた効果を有する。
例えば、本発明によれば、紡績機、織機あるいは編み機による繊維、織物及びニット製品の製造ラインなど多くの製造ラインにおいて、消臭剤、ホルマリンなど合成化学薬品等の複数の汚染源を検出し製造管理することができる。また織ラベルとして蛍光繊維を織り込んだ製品の製造管理も容易になる。
また、複数の潤滑油を使用する製造ラインにおいて、汚染源が本願発明の潤滑油組成物以外の潤滑油であることを特定することができる。
【図面の簡単な説明】
【００１２】
【図１】紫外線照射試験における評価Ａの発光状態を示す写真である。
【図２】紫外線照射試験における評価Ｂの発光状態を示す写真である。
【図３】紫外線照射試験における評価Ｃの発光状態を示す写真である。
【発明を実施するための形態】
【００１３】
以下、本発明の好適な実施形態について説明する。
【００１４】
本発明の実施形態に係る製造ラインの管理方法は、潤滑油が使用される製造ラインにおいて、アニリン点と４０℃における動粘度とが下記式（１）：
０．４×（アニリン点）−１５×ｌｏｇ（４０℃における動粘度）≧２０    （１）
で表される条件を満たす基油を潤滑油組成物全量基準で５０質量％以上含有し、且つ、ブラックライトにより紫外線を照射したときに可視光を発光しない潤滑油組成物を用い、紫外線に対して発光性を有する物質による製品の汚染、汚損又は劣化を、該製品に紫外線を照射して看視するものである。
【００１５】
また、本発明の実施形態に係る潤滑油組成物は、アニリン点と４０℃における動粘度とが下記式（１）：
０．４×（アニリン点）−１５×ｌｏｇ（４０℃における動粘度）≧２０    （１）
で表される条件を満たす基油を潤滑油組成物全量基準で５０質量％以上含有し、且つ、ブラックライトにより紫外線を照射したときに可視光を発光しない潤滑油組成物である。
【００１６】
なお、上記式（１）中の左辺である「０．４×（アニリン点）−１５×ｌｏｇ（４０℃における動粘度）」を発光指数と言う場合もある。
【００１７】
ここで、ブラックライト（ｂｌａｃｋ  ｌｉｇｈｔ）とは、長波長の紫外線を放射するライトのことであり、蛍光管を使う方式のブラックライトあるいは紫外線発光ダイオードを用いる方法などあるがいずれの方式でも使用できる。ブラックライトにより照射される紫外線としては、例えば波長３８０〜２００ｎｍの範囲内に特性ピークを有する近紫外線（ｎｅａｒ  ＵＶ）が挙げられる。また、「紫外線を照射したときに可視光を発光しない」ことは、具体的には、例えば、当該基油をろ紙に付着させ、暗室内でブラックライトを照射した時に、目視により発光が認められないことを意味する。
【００１８】
本実施形態において、潤滑油基油の発光指数は、上記式（１）のとおり２０以上であり、好ましくは２５以上である。潤滑油基油の発光指数が前記２０以上であると、該潤滑油基油を潤滑油組成物全量基準で５０質量％以上含有させたときに、潤滑油組成物に、ブラックライトにより紫外線を照射したときに可視光を発光しないという特性を有効に付与することができる。
【００１９】
本実施形態における潤滑油基油は、発光指数が上記の条件を満たす限り特に制限されず、鉱油系基油又は合成系基油のいずれであってもよく、あるいはこれらの基油の２種以上の混合物であってもよい。
【００２０】
鉱油系基油としては、原油を常圧蒸留及び減圧蒸留して得られた潤滑油留分に対して、溶剤脱れき、溶剤抽出、水素化分解、溶剤脱ろう、接触脱ろう、水素化精製、硫酸洗浄、白土処理等の１種もしくは２種以上の精製手段を適宜組み合わせて適用して得られるパラフィン系又はナフテン系の鉱油が挙げられる。中でも、（Ａ）４０℃における動粘度が１〜５００ｍｍ２／ｓの水素化精製鉱油が好適である。
【００２１】
（Ａ）水素化精製鉱油の芳香族分は特に限定されないが、好ましくは８質量以下であり、より好ましくは５質量以下であり、最も好ましくは３質量以下である。芳香族分が８を超えると酸価安定性が低下するため好ましくない。
【００２２】
本発明でいう芳香族分とは、ＡＳＴＭ  Ｄ２５４９を参考に開発したカラムクロマト分析法により測定される芳香族分を意味する。本方法では、ＡＳＴＭ  Ｄ２５４９とは異なりカラム充填ゲルにはシリカゲルを下層に、活性アルミナを上層に１５５：２５の割合で充填して用いる。また、飽和分の溶出にはｎ−ヘプタンを、芳香族の溶出にはベンゼンを用いる。ベンゼンの代わりにトルエンを用いても同等の結果が得られるため、トルエンを使用することもできる。
【００２３】
水素化精製鉱油の多環芳香族（ＰＣＡ）は特に限定されないが、好ましくは３質量％未満であり、より好ましくは２質量％以下であり、最も好ましくは１質量％以下である。多環芳香族分が３質量％を超えると環境衛生上、特に人体に対する発がん性の観点から好ましくない。
【００２４】
合成系基油としては、（Ｂ）エチレン、プロピレン及びαオレフィンから選ばれる１種以上のモノマーから合成されるオレフィン重合体（ポリマー及びオリゴマーの双方を包含する）が挙げられる。かかるオレフィン重合体の４０℃のおける動粘度は１〜５００ｍｍ２／ｓが好ましい。
【００２５】
また、合成系基油として、（Ｃ）潤滑油脱ろう工程により得られるワックス（スラックワックス）及び／又はガストゥリキッド（ＧＴＬ）プロセスにより得られる合成ワックス（フィッシャートロプシュワックス、ＧＴＬワックス）を水素化異性化して得られる潤滑油留分も用いることができる。かかる潤滑油留分の４０℃における動粘度は１〜５００ｍｍ２／ｓであることが好ましい。また、該潤滑油留分の芳香族分（％ＣＡ）は０．５以下であることが好ましく。多環芳香族（ＰＣＡ）は３質量％以下であることが好ましい。
【００２６】
ここで、多環芳香族とは、ＩＰ（英国石油学会）３４６法によって定量した基油中のジメチルスルホキシド（ｄｉｍｅｔｈｙｌ  ｓｕｌｆｏｘｉｄｅ、ＤＭＳＯ、以下、ＤＭＳＯと言う）抽出物量を意味する。
【００２７】
潤滑油基油のアニリン点は、発光指数が上記式（１）で表される条件を満たす限り特に限定されないが、（Ａ）成分については式（１）又は（２）を満足すればよく、好ましくは８０〜１４０℃、より好ましくは９０〜１３５℃以上、最も好ましくは１００〜１３０℃以上である。アニリン点が８０℃以下になるとシール材として用いられるＯリングなどの合成ゴムや合成樹脂類を膨潤させるため好ましくない。また１４０℃以上では合成ゴムや合成樹脂類を収縮させるため好ましくない。
【００２８】
潤滑油基油の４０℃における動粘度は特に限定されないが、好ましくは１．５ｍｍ２／ｓ以上、より好ましくは６ｍｍ２／ｓ以上、最も好ましくは３０ｍｍ２／ｓ以上である。また、４０℃における動粘度は、好ましくは１０００ｍｍ２／ｓ以下、より好ましくは７００ｍｍ２／ｓ以下、最も好ましくは４００ｍｍ２／ｓ以下である。潤滑油基油の４０℃における動粘度が１．５ｍｍ２／ｓ未満であると、シール部位からの漏洩が多いため好ましくなく、また、１０００ｍｍ２／ｓを超えると軸受け内部の粘性抵抗及び／又はギヤでの粘性抵抗及び／又は油圧ポンプ内部での粘性抵抗及び／又は配管での圧力損失が大きくのため好ましくない。特に、潤滑油基油として（Ａ）水素化精製鉱油を用いる場合は、その４０℃における動粘度が上記の範囲内であることが好ましい。
【００２９】
本実施形態においては、上記（Ａ）、（Ｂ）、（Ｃ）以外の合成油や動植物油も、ブラックライトに対して非発光であれば潤滑油基油として使用してもよい。使用可能な潤滑油基油としては、例えば以下のものが挙げられる。
アルキルベンゼン等の合成炭化水素油；
モノエステル（ブチルステアレート、オクチルラウレートなど）、ジエステル（ジトリデシルグルタレート、ジ−２−エチルヘキシルアジペート、ジイソデシルアジペート、ジトリデシルアジペート、ジ−２−エチルヘキシルセパケートなど）、ポリエステル（トリメリット酸エステルなど）；
ポリオールエステル（トリメチロールプロパンカプリレート、トリメチロールプロパンペラルゴネート、ペンタエリスリトール−２−エチルヘキサノエート、ペンタエリスリトールペラルゴネートなど）；
ポリオキシアルキレングリコール及びその誘導体；
含フッ素化合物（パーフルオロポリエーテル、フッ素化ポリオレフィンなど）；
シリコーン油；
牛脂、豚脂、大豆油、菜種油、米ぬか油、ヤシ油、パーム油、パーム核油及びこれらの水素添加物などの油脂；及び
上記の２種以上の混合物。
【００３０】
本実施形態に係る潤滑油組成物において、発光指数が式（１）で表される条件を満たす潤滑油基油の含有量は、潤滑油組成物全量基準で、５０質量％以上であり、好ましくは８０質量％以上、より好ましくは９５質量％以上である。
【００３１】
また、本実施形態に係る潤滑油組成物は、必要に応じてブラックライトに非発光の潤滑油用添加剤を含有することができる。かかる添加剤としては、例えば酸化防止剤、極圧剤、腐食防止剤、油性剤、さび止め剤、摩耗防止剤、消泡剤；粘度指数向上剤；流動点降下剤；清浄分散剤等が挙げられる。
【００３２】
酸化防止剤としては、フェノール系酸化防止剤やアミン系酸化防止剤等の潤滑油に一般的に使用されているものであれば使用可能である。
【００３３】
フェノール系酸化防止剤としては、潤滑油の酸化防止剤として用いられる任意のフェノール系化合物が使用可能であり、特に限定されるのもではないが、例えば、下記の一般式（２）又は一般式（３）で表される化合物の中から選ばれる１種又は２種以上のアルキルフェノール化合物が好ましいものとして挙げられる。
【化１】
2014095024.tif 000003
［式中、Ｒ１は炭素数１〜４のアルキル基を示し、Ｒ２は水素原子又は炭素数１〜４のアルキル基を示し、Ｒ３は水素原子、炭素数１〜４のアルキル基、下記一般式（３）で表される基又は下記一般式（４）で表される基を示す。
【化２】
2014095024.tif 000004
（式中、Ｒ４は炭素数１〜６のアルキレン基を示し、Ｒ５は炭素数１〜２４のアルキル基又はアルケニル基を示す。）
【化３】
2014095024.tif 000005
（式中、Ｒ６は炭素数１〜６のアルキレン基を示し、Ｒ７は炭素数１〜４のアルキル基を示し、Ｒ８は水素原子又は炭素数１〜４のアルキル基を示し、ｎは０又は１を示す。）］
【化４】
2014095024.tif 000006
［式中、Ｒ９及びＲ１３は同一でも異なっていてもよく、それぞれ炭素数１〜４のアルキル基を示し、Ｒ１０及びＲ１４は同一でも異なっていてもよく、それぞれ水素原子又は炭素数１〜４のアルキル基を示し、Ｒ１１及びＲ１２は同一でも異なっていてもよく、それぞれ炭素数１〜６のアルキレン基を示し、Ｗは炭素数１〜１８のアルキレン基又は下記一般式（６）で表される基を示す。
−Ｒ１５−Ｓ−Ｒ１６−      （６）
（式中、Ｒ１５及びＲ１６は同一でも異なっていてもよく、それぞれ炭素数１〜６のアルキレン基を示す。）］
【００３４】
一般式（２）において、Ｒ１としては、具体的には、メチル基、エチル基、ｎ−プロピル基、イソプロピル基、ｎ−ブチル基、イソブチル基、ｓｅｃ−ブチル基、ｔｅｒｔ−ブチル基等が挙げられるが、酸化安定性に優れる点から、ｔｅｒｔ−ブチル基が好ましい。また、Ｒ２としては、水素原子、及び上述したような炭素数１〜４のアルキル基が挙げられるが、熱・酸化安定性に優れる点から、メチル基又はｔｅｒｔ−ブチル基が好ましい。
【００３５】
一般式（２）において、Ｒ２が炭素数１〜４のアルキル基である場合は、具体的にはＲ６１としてはメチル基、エチル基、ｎ−プロピル基、イソプロピル基、ｎ−ブチル基、イソブチル基、ｓｅｃ−ブチル基、ｔｅｒｔ−ブチル基等が挙げられるが、酸化安定性に優れる点から、メチル基又はエチル基であるのが好ましい。
【００３６】
一般式（２）で表されるアルキルフェノール化合物の中で、Ｒ２が炭素数１〜４のアルキル基である場合の化合物として好ましいものは、２，６−ジ−ｔｅｒｔ−ブチル−ｐ−クレゾール（ＤＢＰＣ）、２，６−ジ−ｔｅｒｔ−ブチル−４−エチルフェノール、２，４−ジメチル−６−ｔｅｒｔ−ブチルフェノール及びこれらの混合物等であり、中でも、ブラックライトに対して可視光の発光が無いことから特に好ましいのは、２，６−ジ−ｔｅｒｔ−ブチル−ｐ−クレゾール（ＤＢＰＣ）である。
【００３７】
これらのフェノール系酸化防止剤の配合量は、潤滑油組成物全量基準で、下限値が０．０１質量％、好ましくは０．１質量％であり、一方、上限値が５質量％、好ましくは３質量％である。酸化防止剤の配合量が０．０１質量％未満の場合は、配合による酸化安定性向上効果が十分でなく、一方、配合量が５質量％を超える場合は、配合量に見合うだけの酸化安定性向上効果が得られず経済的に不利であるため、それぞれ好ましくない。
【００３８】
アミン系酸化防止剤としては特に限定されるものではないが、炭素数Ｃ３〜Ｃ１８のアルキル基を有するジアルキルジフェニルアミン、特にｐ，ｐ’−ジアルキルジフェニルアミン、又はその誘導体は酸化防止剤としての性能が高く、かつブラックライトに対して可視光の発光が比較的少ないことから好適に用いられる。
【００３９】
これらのアミン系酸化防止剤は、組成物全量基準で、好ましくは１質量％以下、より好ましくは０．５質量％以下、更に好ましくは０．２質量％以下である。アミン系酸化防止剤の含有量が１質量％を超えても、含有量に見合うだけの熱・酸化安定性及びスラッジ抑制性の更なる向上効果は見られず、また潤滑油基油に対する溶解性が不十分となる傾向にある。一方、アミン系酸化防止剤の含有量の下限値は、添加効果の観点からは組成物全量基準で、好ましくは０．００１質量％以上、より好ましくは０．０１質量％ 以上、更に好ましくは０．０２質量％以上である。
【００４０】
更に、上記フェノール系酸化防止剤とアミン系酸化防止剤は組み合せて使用してもよい。
【００４１】
極圧剤としては、硫黄化合物及びリン化合物が挙げられる。
【００４２】
極圧剤としての硫黄化合物は、潤滑油組成物の特性を損なわない限りにおいて特に制限されないが、ジヒドロカルビルポリサルファイド、硫化エステル、硫化鉱油、ジチオリン酸亜鉛化合物、ジチオカルバミン酸亜鉛化合物、ジチオリン酸モリブデン化合物及びジチオカルバミン酸モリブデンが好ましく用いられる。
【００４３】
ジヒドロカルビルポリサルファイドとは、一般的にポリサルファイド又は硫化オレフィンと呼ばれる硫黄系化合物である。
【００４４】
硫化エステルとしては、具体的には、牛脂、豚脂、魚脂、菜種油、大豆油などの動植物油脂を任意の方法で硫化した、いわゆる硫化油脂や、不飽和脂肪酸（オレイン酸、リノール酸又は上記の動植物油脂から抽出された脂肪酸類などを含む）と各種アルコールとを反応させて得られる不飽和脂肪酸エステルを任意の方法で硫化したもの、及び動植物油脂と不飽和脂肪酸エステルの混合物を任意の方法で硫化したものが挙げられる。中でも、オレイン酸メチルの硫化物が好ましい。
【００４５】
硫化鉱油とは、鉱油に単体硫黄を溶解させたものをいう。硫化鉱油における硫黄含有量に特に制限はないが、通常、硫化鉱油全量を基準として好ましくは０．０５〜１．０質量％であり、より好ましくは０．１〜０．５質量％である。
【００４６】
上記硫黄化合物の中でも、ブラックライトに対して可視光の発光が無いことからジヒドロカルビルポリサルファイド及び硫化油脂が特に好ましい。
【００４７】
また、極圧剤としてのリン化合物としては、具体的には例えば、リン酸エステル、酸性リン酸エステル、リン含有カルボン酸、塩素化リン酸エステル、亜リン酸エステル、フォスフォロチオネート、酸性リン酸エステルのアミン塩及びそれらの金属塩等が挙げられる。これらのリン化合物は、リン酸、亜リン酸又はチオリン酸とアルカノール、ポリエーテル型アルコールとのエステルあるいはその誘導体が挙げられる。
【００４８】
より具体的には、
リン酸エステルとしては、トリブチルホスフェート、トリペンチルホスフェート、トリヘキシルホスフェート、トリヘプチルホスフェート、トリオクチルホスフェート、トリノニルホスフェート、トリデシルホスフェート、トリウンデシルホスフェート、トリドデシルホスフェート、トリトリデシルホスフェート、トリテトラデシルホスフェート、トリペンタデシルホスフェート、トリヘキサデシルホスフェート、トリヘプタデシルホスフェート、トリオクタデシルホスフェート、トリオレイルホスフェート、トリフェニルホスフェート、トリクレジルホスフェート、トリ(プロピルフェニル)ホスフェート、トリキシレニルホスフェート、クレジルジフェニルホスフェート、キシレニルジフェニルホスフェート等；
酸性リン酸エステルとしては、モノブチルアシッドホスフェート、モノペンチルアシッドホスフェート、モノヘキシルアシッドホスフェート、モノヘプチルアシッドホスフェート、モノオクチルアシッドホスフェート、モノノニルアシッドホスフェート、モノデシルアシッドホスフェート、モノウンデシルアシッドホスフェート、モノドデシルアシッドホスフェート、モノトリデシルアシッドホスフェート、モノテトラデシルアシッドホスフェート、モノペンタデシルアシッドホスフェート、モノヘキサデシルアシッドホスフェート、モノヘプタデシルアシッドホスフェート、モノオクタデシルアシッドホスフェート、モノオレイルアシッドホスフェート、ジブチルアシッドホスフェート、ジペンチルアシッドホスフェート、ジヘキシルアシッドホスフェート、ジヘプチルアシッドホスフェート、ジオクチルアシッドホスフェート、ジノニルアシッドホスフェート、ジデシルアシッドホスフェート、ジウンデシルアシッドホスフェート、ジドデシルアシッドホスフェート、ジトリデシルアシッドホスフェート、ジテトラデシルアシッドホスフェート、ジペンタデシルアシッドホスフェート、ジヘキサデシルアシッドホスフェート、ジヘプタデシルアシッドホスフェート、ジオクタデシルアシッドホスフェート、ジオレイルアシッドホスフェート等；
リン含有カルボン酸としては、下記一般式（７）で示されるβ−ジチオホスフォリル化プロピオン酸；
【化５】
2014095024.tif 000007
［式中、Ｒ１５、Ｒ１６は同一でも異なっていてもよく、それぞれ水素原子又は炭素数１〜３０の炭化水素基を示し、Ｒ１７、Ｒ１８、Ｒ１９及びＲ２０は同一でも異なっていてもよく、それぞれ水素原子又は炭素数１〜４の炭化水素基を示し、Ｒ１７、Ｒ１８、Ｒ１９及びＲ２０の炭素数の合計は６以下である。また、好ましくは、Ｒ１７、Ｒ１８、Ｒ１９及びＲ２０は同一でも異なっていてもよく、それぞれ水素原子又は炭素数１〜３の炭化水素基を示し、Ｒ１７、Ｒ１８、Ｒ１９及びＲ２０の炭素数の合計は５以下である。さらに好ましくは、Ｒ１７、Ｒ１８、Ｒ１９及びＲ２０は同一でも異なっていてもよく、それぞれ水素原子又は炭素数１又は２の炭化水素基を示し、Ｒ１７、Ｒ１８、Ｒ１９及びＲ２０の炭素数の合計は４以下である。特に好ましくは、Ｒ１７、Ｒ１８、Ｒ１９及びＲ２０は同一でも異なっていてもよく、それぞれ水素原子又は炭素数１〜２の炭化水素基を示し、Ｒ１７、Ｒ１８、Ｒ１９及びＲ２０の炭素数の合計は３以下である。最も好ましくは、Ｒ１９又はＲ２０のいずれかがメチル基であり残りの３基が水素原子である。］
塩素化リン酸エステルとしては、トリス・ジクロロプロピルホスフェート、トリス・クロロエチルホスフェート、トリス・クロロフェニルホスフェート、ポリオキシアルキレン・ビス［ジ（クロロアルキル）］ホスフェート等；
亜リン酸エステルとしては、ジブチルホスファイト、ジペンチルホスファイト、ジヘキシルホスファイト、ジヘプチルホスファイト、ジオクチルホスファイト、ジノニルホスファイト、ジデシルホスファイト、ジウンデシルホスファイト、ジドデシルホスファイト、ジオレイルホスファイト、ジフェニルホスファイト、ジクレジルホスファイト、トリブチルホスファイト、トリペンチルホスファイト、トリヘキシルホスファイト、トリヘプチルホスファイト、トリオクチルホスファイト、トリノニルホスファイト、トリデシルホスファイト、トリウンデシルホスファイト、トリドデシルホスファイト、トリオレイルホスファイト、トリフェニルホスファイト、トリクレジルホスファイト等；
フォスフォロチオネートとしては、トリブチルフォスフォロチオネート、トリペンチルフォスフォロチオネート、トリヘキシルフォスフォロチオネート、トリヘプチルフォスフォロチオネート、トリオクチルフォスフォロチオネート、トリノニルフォスフォロチオネート、トリデシルフォスフォロチオネート、トリウンデシルフォスフォロチオネート、トリドデシルフォスフォロチオネート、トリトリデシルフォスフォロチオネート、トリテトラデシルフォスフォロチオネート、トリペンタデシルフォスフォロチオネート、トリヘキサデシルフォスフォロチオネート、トリヘプタデシルフォスフォロチオネート、トリオクタデシルフォスフォロチオネート、トリオレイルフォスフォロチオネート、トリフェニルフォスフォロチオネート、トリクレジルフォスフォロチオネート、トリキシレニルフォスフォロチオネート、クレジルジフェニルフォスフォロチオネート、キシレニルジフェニルフォスフォロチオネート、トリス（ｎ−プロピルフェニル）フォスフォロチオネート、トリス（イソプロピルフェニル）フォスフォロチオネート、トリス（ｎ−ブチルフェニル）フォスフォロチオネート、トリス（イソブチルフェニル）フォスフォロチオネート、トリス（ｓ−ブチルフェニル）フォスフォロチオネート、トリス（ｔ−ブチルフェニル）フォスフォロチオネート等；
酸性リン酸エステルのアミン塩としては、前記酸性リン酸エステルのアルキルアミンとの塩；
が挙げられる。
【００４９】
本実施形態においては、上記リン化合物の中でも、ブラックライトに対して可視光の発光が無いか小さいことから、
トリクレジルホスフェート、トリ(プロピルフェニル)ホスフェート、トリフェニルチオホスフェート、トリオクチルホスフェート、モノオクチルアシッドホスフェート、ジオクチルアシッドホスフェート及びβ−ジチオホスフォリル化プロピオン酸が好ましい。
【００５０】
本実施形態に係る潤滑油組成物は、極圧剤として、硫黄化合物又はリン化合物の一方のみを含有するものであってもよく、双方を含有するものであってもよい。耐摩耗性の点からは、リン化合物、あるいは硫黄化合物とリン化合物との双方を含有することが好ましく、硫黄化合物とリン化合物との双方を含有することがより好ましい。
【００５１】
極圧剤の含有量は任意であるが、組成物全量基準で、０．００1質量％以上であることが好ましく、０．０１質量％以上であることがより好ましく、０．１質量％以上であることがさらにより好ましい。また、極圧剤の含有量は、組成物全量基準で、１．０質量％以下であることが好ましく、０．８質量％以下であることがより好ましく、０．５質量％以下であることがさらにより好ましい。０．００１質量％未満であると添加効果が不十分となり、１．０質量％を超えると添加量に見合った効果が得られない。
【００５２】
また、本実施形態に係る潤滑油組成物は、腐食防止剤としてトリアゾール及び／又はその誘導体を含有することが好ましい。
【００５３】
トリアゾール及び／又はその誘導体として好ましい化合物は、ベンゾトリアゾール及び／又はその誘導体である。
【００５４】
ベンゾトリアゾール誘導体としては、例えば、アルキルベンゾトリアゾールや、（アルキル）アミノアルキルベンゾトリアゾール等が挙げられ、アルキルベンゾトリアゾールとしては、メチルベンゾトリアゾール（トリルトリアゾール）、ジメチルベンゾトリアゾール、エチルベンゾトリアゾール、エチルメチルベンゾトリアゾール、ジエチルベンゾトリアゾール又はこれらの混合物等が挙げられ、（アルキル）アミノベンゾトリアゾールとしては、ジアルキルアミノアルキルベンゾトリアゾールやジアルキルアミノアルキルトリルトリアゾール又はこれらの混合物等が挙げられる。
【００５５】
トリアゾール及び／又はその誘導体の含有量は任意であるが、非アミノアルキル形の場合には、潤滑油組成物全量基準で、好ましくは０．００１質量％以上、より好ましくは０．００５質量％ 以上である。トリアゾール及び／又はその誘導体の含有量が０．００１質量％未満の場合には、その添加による腐食防止効果が不十分となる傾向にある。また、アミノアルキル形の場合には組成物全量基準で、好ましくは０．０１質量％以上、より好ましくは０．０５質量％ 以上である。トリアゾール及び／又はその誘導体の含有量が０．０１質量％未満の場合には、その添加による腐食防止効果が不十分となる傾向にある。
また、トリアゾール及び／又はその誘導体の含有量は、組成物全量基準で、好ましくは１．０質量％ 以下、より好ましくは０．５質量％以下である。１．０質量％を超える場合は、含有量に見合うだけの腐食防止効果が得られず、経済的に不利となるおそれがある。
【００５６】
分散型粘度指数向上剤としては、特に限定されるものではないが、潤滑油の分散型粘度指数向上剤として用いられる任意の化合物が使用可能であるが、例えば、エチレン性不飽和結合を有する含窒素モノマーを共重合成分として含む共重合体が好ましい。
具体的には、
炭素数１〜１８のアルキルアクリレート、炭素数１〜１８のアルキルメタクリレート、炭素数の２〜２０のオレフィン、スチレン、メチルスチレン、無水マレイン酸エステル、無水マレイン酸アミド及びこれらの混合物から選ばれる１種又は２種以上のモノマーと、
ジメチルアミノメチルメタクリレート、ジエチルアミノメチルメタクリレート、ジメチルアミノエチルメタクリレート、ジエチルアミノエチルメタクリレート、２−メチル−５−ビニルピリジン、モルホリノメチルメタクリレート、モルホリノエチルメタクリレート、Ｎ−ビニルピロリドン及びこれらの混合物から選ばれる１種又は２種以上のモノマーと、の共重合体が好ましい。
【００５７】
得られる共重合体の数平均分子量も任意であるが、好ましくは１，０００〜１，５００，０００、より好ましくは１０，０００〜２００，０００である。
【００５８】
分散型粘度指数向上剤の含有量は、潤滑油組成物全量基準で、好ましくは１０質量％ 以下、より好ましくは５質量％ 以下、更に好ましくは２質量％である。分散型粘度指数向上剤の含有量が１０質量％を超えても、含有量に見合うだけのスラッジ抑制性のさらなる向上は見られず、またせん断による粘度低下を引き起こすため、好ましくない。また、分散型粘度指数向上剤の含有量は、潤滑油組成物全量基準で、好ましくは０．０１質量％以上、より好ましくは０．０５質量％、更に好ましくは０．１質量％以上である。分散型粘度指数向上剤の含有量が０．０１質量％に満たない場合は、その添加によるスラッジ抑制性の向上効果が不十分となる傾向にある。
【００５９】
油性剤としては、アルコール、カルボン酸、不飽和カルボン酸の硫化物、下記一般式（８）で表される化合物、下記一般式（９）で表される化合物、ポリオキシアルキレン化合物、多価アルコールのヒドロカルビルエーテル、アミンなどを挙げることができる。
【化６】
2014095024.tif 000008
［式中、Ｒ２１は炭素数１〜３０の炭化水素基を表し、ａは１〜６の整数を表し、ｂは０〜５の整数を表す。］
【化７】
2014095024.tif 000009
［式中、Ｒ２２は炭素数１〜３０の炭化水素基を表し、ｃは１〜６の整数を表し、ｄは０〜５の整数を表す。］
【００６０】
アルコールは、１価アルコールでも多価アルコールでもよい。これらのアルコールは直鎖状でも分枝を有していてもよく、また飽和でも不飽和でもよい。
【００６１】
カルボン酸は、１塩基酸でも多塩基酸でもよい。直鎖状でも分枝を有していてもよく、飽和でも不飽和でもよい。
【００６２】
不飽和カルボン酸の硫化物としては、例えばオレイン酸の硫化物を挙げることができる。
【００６３】
上記一般式（８）で表される化合物の例としては、ｐ−ｔｅｒｔ−ブチルカテコールを挙げることができる。
【００６４】
上記一般式（９）で表される化合物の例としては、２，２−ジヒドロキシナフタレン、２，３−ジヒドロキシナフタレンを挙げることができる。
【００６５】
ポリオキシアルキレン化合物としては、例えば下記一般式（１０）又は（１１）で表される化合物を挙げることができる。
Ｒ２３Ｏ−（Ｒ２４Ｏ）ｅ−Ｒ２５    （１０）
［式中、Ｒ２３及びＲ２５は各々独立に水素原子又は炭素数１〜３０の炭化水素基を表し、Ｒ２４は炭素数２〜４のアルキレン基を表し、ｅは数平均分子量が１００〜３５００となるような整数を表す。］
Ａ−[(Ｒ２６Ｏ)ｆ−Ｒ２７]ｇ    （１１）
［式中、Ａは水酸基を３〜１０個有する多価アルコールの水酸基の水素原子の一部又は全てを取り除いた残基を表し、Ｒ２６は炭素数２〜４のアルキレン基を表し、Ｒ２７は水素原子又は炭素数１〜３０の炭化水素基を表し、ｆは数平均分子量が１００〜３５００となるような整数を表し、ｇはＡの水酸基から取り除かれた水素原子の個数と同じ数を表す。］
【００６６】
多価アルコールのヒドロカルビルエーテルを構成する多価アルコールの例としては、具体的には例えば、エチレングリコール、ジエチレングリコール、ポリエチレングリコール、プロピレングリコール、ジプロピレングリコール、ポリプロピレングリコール、プロパンジオール、ブタンジオール、２−メチルプロパンジオール、ペンタンジオール、ネオペンチルグリコール等の２価アルコール；グリセリン、ポリグリセリン、トリメチロールアルカン及びこれらの２〜８量体、ペンタエリスリトール及びこれらの２〜４量体、１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール、マンニトール等の多価アルコール；及びこれらの混合物等が挙げられる。
【００６７】
多価アルコールのヒドロカルビルエーテルとしては、上記多価アルコールの水酸基の一部又は全部をヒドロカルビルエーテル化したものが使用できる。多価アルコールの水酸基の一部をヒドロカルビルエーテル化したもの（部分エーテル化物）が好ましい。
【００６８】
アミンとしては、モノアミンが好ましく使用される。さらに、モノアミンとしては、第１級モノアミン、第２級モノアミン、第３級モノアミンの何れもが使用可能であるが、第１級モノアミンが好ましい。
【００６９】
本実施形態においては、上記油性剤の中から選ばれる１種のみを用いてもよく、また２種以上の混合物を用いてもよい。油性剤の含有量は、組成物全量基準で、好ましくは１０質量％以下、より好ましくは５質量％ 以下、更に好ましくは１質量％である。分散型粘度指数向上剤の含有量が１０質量％を超えても、含有量に見合うだけの油性効果は見られない。また、油性剤の含有量は、組成物全量基準で、好ましくは０．０１質量％以上、より好ましくは０．０５質量％、更に好ましくは０．１質量％以上である。分散型粘度指数向上剤の含有量が０．０１質量％に満たない場合は、その添加による油性向上効果が不十分となる傾向にある。
【００７０】
本実施形態に係る潤滑油組成物は、ザルコシン型化合物、ノニオン系界面活性剤、スルホン酸塩、エステル、アミン、カルボン酸、脂肪酸アミン塩、カルボン酸塩、パラフィンワックス、酸化ワックス塩及びホウ素化合物からなる群から選ばれる１種以上の特定のさび止め添加剤である。
【００７１】
ザルコシン型化合物は、下記一般式（１２）又は（１３）で表される構造を有する。
Ｒ２８−ＣＯ−ＮＲ２９−（ＣＨ２）ｐ−ＣＯＯＸ    （１２）
（式中、Ｒ２８は炭素数６〜３０のアルキル基又は炭素数６〜３０のアルケニル基、Ｒ２９は炭素数１〜４のアルキル基、Ｘは水素原子、炭素数１〜３０のアルキル基又は炭素数１〜３０のアルケニル基、ｐは１〜４の整数を示す。）
［Ｒ３０−ＣＯ−ＮＲ３１−（ＣＨ２）ｑ−ＣＯＯ］ｒＹ    （１３）
（式中、Ｒ１は炭素数６〜３０のアルキル基又は炭素数６〜３０のアルケニル基、Ｒ２は炭素数１〜４のアルキル基、Ｙはアルカリ金属又はアルカリ土類金属、ｑは１〜４の整数、ｒはＹがアルカリ金属の場合は１、アルカリ土類金属の場合は２を示す。）
【００７２】
上記一般式（１２）及び（１３）で表されるザルコシンの中でも、よりさび止め性に優れる点から、一般式（１２）で表される化合物であることが好ましい。また、一般式（１２）及び（１３）の中から選ばれる１種の化合物のみを単独で使用しても良く、２種以上の化合物の混合物を使用しても良い。
【００７３】
ザルコシンの含有量は、特に制限されないが、潤滑油組成物全量を基準として、好ましくは０．００１〜０．５質量％、より好ましくは０．００５〜０．１質量％、更に好ましくは０．０１〜０．０５質量％である。当該ザルコシンの含有量が前記下限値未満の場合、さび止め性及びその長期維持性が不十分となる傾向にある。また、当該ザルコシンの含有量が前記上限値を超えても、含有量に見合うさび止め性及びその長期維持性の向上効果が得られない傾向にある。
【００７４】
さび止め剤としてのノニオン系界面活性剤としては、具体的には例えば、アルキレングリコール、ポリオキシアルキレングリコール、ポリオキシアルキレンアルキルエーテル、ポリオキシアルキレンアリールエーテル、多価アルコールのポリオキシアルキレン付加物の脂肪酸エステル、ポリオキシアルキレン脂肪酸エステル、ポリオキシアルキレンアルキルアミン、アルキルアルカノールアミド等が挙げられる。これらの中でも、さび止め性により優れることから、アルキレングリコール、ポリオキシアルキレングリコール、ポリオキシアルキレンアルキルエーテル、ポリオキシアルキレンアリールエーテル、ポリオキシアルキレンアルキルアミンが好ましく、特に、ポリオキシアルキレンアルキルアミンが好ましい。
【００７５】
上記アルキレングリコールとしては、具体的には例えば、エチレングリコール、プロピレングリコール、ブチレングリコール、ペンチレングリコール、へキシレングリコール、ヘプチレングリコール、オクチレングリコール、ノニレングリコール、デシレングリコール等が挙げられる。
【００７６】
ポリオキシアルキレングリコールとしては、エチレンオキシド、プロピレンオキシド、ブチレンオキシド等のアルキレンオキシドを単独重合あるいは共重合したものが用いられる。また、ポリオキシアルキレンアルキルエーテルとしては、上記ポリオキシアルキレングリコールのアルキルエーテル等が挙げられる。
【００７７】
また、ポリオキシアルキレンアリールエーテルとしては、上記ポリオキシアルキレングリコールのフェニルエーテル、アルキルフェニルエーテル等が挙げられる。中でも、モノアルキルアミン、ジアルキルアミン、アルキル−モノシクロアルキルアミン及びジシクロアルキルアミンのポリアルキレンオキサイド付加物が好ましく、モノシクロヘキシルアミンのポリオキシアルキレンオキサイド付加物が特に好ましい。
【００７８】
なお、上記のノニオン系界面活性剤は１種を単独で用いても良いし、２種以上を用いても良い。本実施形態に係る潤滑油組成物において、ノニオン系界面活性剤を含有量する場合は、組成物全量基準で、０．０１〜１０質量％であることが好ましい。含有量の上限値は、さび止め性の点から、１０質量％以下であることが好ましく、８質量％以下であることがより好ましく、６質量％以下であることがさらに好ましく、５質量％以下であることが最も好ましい。
【００７９】
スルホン酸塩の好ましい例としては、スルホン酸アルカリ金属塩、スルホン酸アルカリ土類金属塩又はスルホン酸アミン塩が挙げられる。スルホン酸塩はいずれも人体や生態系に対して十分に高い安全性を有するものであり、アルカリ金属、アルカリ土類金属又はアミンとスルホン酸とを反応させることにより得ることができる。スルホン酸塩を構成するアルカリ金属としては、ナトリウム、カリウム等が挙げられる。また、アルカリ土類金属としては、マグネシウム、カルシウム、バリウム等が挙げられる。中でも、アルカリ金属及びアルカリ土類金属としては、ナトリウム、カリウム、カルシウム及びバリウムが好ましく、カルシウムが特に好ましい。
【００８０】
スルホン酸塩がアミン塩である場合、アミンとしては、モノアミン、ポリアミン、アルカノールアミン等が挙げられる。
【００８１】
前記スルホン酸は、具体的には、一般に鉱油の潤滑油留分のアルキル芳香族化合物をスルホン化したものやホワイトオイル製造時に副生するいわゆるマホガニー酸等の石油スルホン酸、あるいは洗剤等の原料となるアルキルベンゼン製造プラントから副生するポリオレフィンをベンゼンにアルキル化することにより得られる、直鎖状や分岐鎖状のアルキル基を有するアルキルベンゼンをスルホン化したものやジノニルナフタレン等のアルキルナフタレンをスルホン化したもの等の合成スルホン酸等、が挙げられる。
【００８２】
上記スルホン酸塩のうち、中でも、アミンスルホネート、カルシウムスルホネート、バリウムスルホネートが好ましく、アルキレンジアミンスルホネート及びカルシウムスルホネートが特に好ましい。
【００８３】
さび止め剤としてのエステルとしては、多価アルコールの部分エステル、エステル化酸化ワックス、エステル化ラノリン脂肪酸、アルキル又はアルケニルコハク酸エステル等が挙げられる。
【００８４】
多価アルコールの部分エステルとは、多価アルコール中の水酸基の少なくとも１個以上
がエステル化されておらず水酸基のままで残っているエステルであり、その原料である多
価アルコールとしては任意のものが使用可能であるが、中でも、グリセリン、トリメチロールエタン、トリメチロールプロパン、ペンタエリスリトール及びソルビタンからなる群より選ばれる少なくとも１種の多価アルコールを用いることが好ましく、ペンタエリスリトールを用いることがより好ましい。
【００８５】
前記エステル化酸化ワックスとは、酸化ワックスとアルコール類とを反応させ、酸化ワックスが有する酸性基の一部又は全部をエステル化させたものをいう。
【００８６】
前記エステル化ラノリン脂肪酸とは、羊の毛に付着するろう状物質を、加水分解等の精製によって得られたラノリン脂肪酸とアルコールとを反応させて得られたものを指す。
【００８７】
アルキル又はアルケニルコハク酸エステルとしては、アルキル又はアルケニルコハク酸の２個のカルボキシル基の双方がエステル化されたジエステル(完全エステル)であってもよく、あるいはカルボキシル基の一方のみがエステル化されたモノエステル(部分エステル)であってもよいが、よりさび止め性に優れる点から、モノエステルが好ましい。具体的には、ラノリンのペンタエリスリトールエステル、ソルビタンモノオレート、ソルビタンイソステアレート等が挙げられる。
【００８８】
前記さび止め成分であるアミンとしては、モノアミン、ポリアミン、アルカノールアミン等が挙げられる。
【００８９】
上記アミンの中でもモノアミンが好ましく、モノアミンの中でもアルキルアミン、アルキル基及びアルケニル基を有するモノアミン、アルキル基及びシクロアルキル基を有するモノアミン、シクロアルキルアミンならびにアルキルシクロアルキルアミンがより好ましい。
【００９０】
前記さび止め剤としてのカルボン酸としては、好ましくは、脂肪酸、ジカルボン酸、ヒドロキシ脂肪酸、ナフテン酸、樹脂酸、酸化ワックス、ラノリン脂肪酸等が挙げられる。このような脂肪酸としては、例えば、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ヘプタデカン酸、オクタデカン酸、ノナデカン酸、イコサン酸、ヘンイコサン酸、ドコサン酸、トリコサン酸、テトラコサン酸等の飽和脂肪酸；ヘキセン酸、ヘプテン酸、オクテン酸、ノネン酸、デセン酸、ウンデセン酸、ドデセン酸、トリデセン酸、テトラデセン酸、ペンタデセン酸、ヘキサデセン酸、ヘプタデセン酸、オクタデセン酸、ノナデセン酸、イコセン酸、ヘンイコセン酸、ドコセン酸、トリコセン酸、テトラコセン酸等の不飽和脂肪酸；又はこれらの混合物が挙げられる。
【００９１】
さび止め剤としての脂肪酸アミン塩としては、前記のカルボン酸の説明において例示された脂肪酸と、前記アミンの説明において例示されたアミンとの塩をいう。
【００９２】
さび止め剤としてのカルボン酸塩としては、前記カルボン酸のアルカリ金属塩、アルカリ土類金属塩、アミン塩等が挙げられる。カルボン酸塩を構成するアルカリ金属としてはナトリウム、カリウム等が挙げられ、アルカリ土類金属としてはバリウム、カルシウム、マグネシウム等が挙げられる。中でも、カルシウム塩が好ましく用いられる。また、アミンとしてはアミンの説明において例示したアミンが挙げられる。
【００９３】
さび止め剤としてのパラフィンワックスとしては、例えば、石油留分の精製の際に得られるパラフィンワックス、マイクロクリスタリンワックス、ペトロラタムや合成により得られるポリオレフィンワックス等が挙げられる。
【００９４】
酸化ワックス塩としては、パラフィンワックス等のワックスを酸化することによって製造される酸化パラフィンワックス等が挙げられる。
酸化ワックス塩が金属塩である場合、ナトリウム、カリウム、マグネシウム、カルシウム、バリウム、亜鉛、鉛等が挙げられる。
【００９５】
前記さび止め剤としてのホウ素化合物としては、ホウ酸カリウム、ホウ酸カルシウム等が挙げられる。
【００９６】
本実施形態に係る潤滑油組成物において、さび止め剤の含有量は特に制限されないが、さび止め性の点から、潤滑油組成物全量基準として、好ましくは０．００１質量％以上、より好ましくは０．００５質量％以上、更に好ましくは０．０１質量％以上である。また、貯蔵安定性の点から、組成物全量を基準として、好ましくは１質量％以下、より好ましくは０．５質量％以下、更に好ましくは０．１質量％以下である。
【００９７】
また、さび止め剤としてカルボン酸を用いる場合の含有量は特に制限されないが、さび止め性の点から、組成物全量基準として、好ましくは０．０１質量％以上、より好ましくは０．０３質量％以上、更に好ましくは０．０５質量％以上である。
【００９８】
本実施形態に係る潤滑油組成物は、その他の添加剤として、ブラックライトに非発光という本願潤滑油組成物の特性を損なわない範囲において、消泡剤、粘度指数向上剤、流動点降下剤、清浄分散剤等を含有してもよい。
【００９９】
本実施形態に係る潤滑油組成物の動粘度については特に制限はないが、下限値は、好ましくは１．５ｍｍ２／ｓ、より好ましくは６ｍｍ２／ｓ、最も好ましくは３０ｍｍ２／ｓである。また、４０℃における動粘度の上限値は、好ましくは１０００ｍｍ２／ｓ、より好ましくは７００ｍｍ２／ｓ、最も好ましくは４００ｍｍ２／ｓである。４０℃における動粘度が１．５ｍｍ２／ｓ以下であるとシール部位からの漏洩が多いため好ましくなく、１０００ｍｍ２／ｓ以上になると軸受け内部での粘性抵抗及び／又はギヤでの粘性抵抗及び／又は油圧ポンプ内部での粘性抵抗及び／又は配管での圧力損失が大きくのため好ましくない。
【０１００】
本実施形態に係る製造ラインの管理方法及び潤滑油組成物によれば、潤滑油以外の汚染源（薬品等）による汚染の管理を容易に行うことが出来る。
【０１０１】
例えば、紡績機、織機あるいは編み機による繊維、織物及びニット製品などの製造ラインにおいては、それらの製品が、消臭剤、ホルマリンなど各種化学薬品などの複数の汚染源によって汚染・汚損されることに対してあるいは潤滑油や各種科学薬品等の漏洩に対して、ブラックライトの紫外線を製品に照射して汚染・汚損の有無を看視し製造管理している。このような製造ラインにおいて、本実施形態に係る製造ラインの管理方法及び潤滑油組成物は非常に有用である。
【０１０２】
また、ブラックライトの紫外線を照射されても可視光を発光しない本発明の潤滑油組成物は、それらの製造ラインの各部における潤滑剤として使用することができる。
【実施例】
【０１０３】
以下、実施例及び比較例に基づき本発明を更に具体的に説明するが、本発明はこれらの実施例に何ら限定されるものではない。
【０１０４】
［実施例１〜１１、比較例１〜３］
実施例１〜１１及び比較例１〜３においては、それぞれ以下に示す成分を用いて、表２、３に示す組成を有する潤滑油組成物を調製した。
【０１０５】
＜潤滑油基油＞
基油１：水素化精製鉱油（４０℃における動粘度１９．４７ｍｍ２／ｓ、アニリン点１１５．４℃）
基油２：水素化精製鉱油（４０℃における動粘度３６．４７ｍｍ２／ｓ、アニリン点１２１．２℃）
基油３：ポリα−オレフィン（４０℃における動粘度４１２ｍｍ２／ｓ）
基油４：ワックスの水素化異性化により得られた潤滑油基油（４０℃における動粘度１５．７５ｍｍ２／ｓ）
基油５：溶剤精製鉱油（４０℃における動粘度５０．６２ｍｍ２／ｓ、アニリン点９９℃）
基油１〜５の性状を表１に示す。
【０１０６】
【表１】
2014095024.tif 000010
【０１０７】
＜酸化防止剤＞
Ａ１：炭素数４及び８の２個の分枝アルキル基を有するジアルキルジフェニルアミン
Ａ２：炭素数１２の分枝アルキル基を有するアルキルフェニルα−ナフチルアミン
＜極圧剤＞
Ｂ１：トリクレジルホスフェート
Ｂ２：硫化エステル（オレイン酸エステルの硫化物、硫黄含有量１０質量％）
Ｂ３：オレイル酸性亜燐酸エステルとラウリルアミンとの中和物
＜腐食防止剤＞
Ｃ：Ｎ，Ｎ−ビス（２−エチルヘキシル）アミノメチル−メチルベンゾトリアゾール
＜さび止め剤＞
Ｄ：ノニルフェノキシ酢酸
＜その他の添加剤＞
Ｅ：分散型ポリマー（炭素数１〜１８のアルキルメタクリレート（９０ｍｏｌ％）とベンゾイルアミノメタクリレート（１０ｍｏｌ％）との共重合体（数平均分子量：７０，０００））
Ｆ：ジメチルシリコーン
【０１０８】
次に、実施例１〜１１及び比較例１〜３の各潤滑油組成物について以下の試験を行った。
【０１０９】
＜紫外線照射試験＞
ブラックライトは、ＡＳ  ＯＮＥ社製のＨａｎｄｙ  ＵＶ  Ｌａｍｐ  ＳＬＵＶ−６を使用し、紫外線の波長が３６５ｎｍに特性ピークを有するモードで測定した。
試験は、潤滑油組成物としての試料油をろ紙に０．０３ｇ付着させ、水平にして５分間放置して試料油とろ紙とを馴染ませた後、暗室内でブラックライトを照射して目視にて発光の有無ないしは強度を判定した。
評価は、目視により全く発光が認められなかったものをＡ，極僅かに認められたものをＢ、明らかに認められたものをＣ、と評価した。また、その中間の場合をＡ−ＢあるいはＢ−Ｃと評価した。得られた結果を表２、３に示す。また、評価Ａ，Ｂ及びＣに相当する発光状態の写真を図１〜３に示す。
【０１１０】
＜酸化安定性試験＞
試料油４０ｇを５０ｍＬビーカーに採取し、銅触媒共存下で、１２０℃、２０日間保持後のスラッジ量を定量した。スラッジの定量は、ポアサイズ０．８μｍのセルロースフィルタにより試験後の試料油をろ過し、スラッジを捕集し、フィルターに残存する試料油をｎ−ヘキサンで洗浄した後、スラッジを定量した。評価は、以下の通りスラッジの量によりＡ，Ｂ及びＣのランクとした。得られた結果を表２、３に示す。
Ａ：１ｍｇ以下
Ｂ：１ｍｇを超え、５ｍｇ以下
Ｃ：５ｍｇを超える
【０１１１】
＜４球摩耗試験＞
試験は、ＪＰＩ−５Ｓ−４０−９３  潤滑油の耐荷重能試験方法（シェル四球式）に準拠して行った。測定は、１２００ｒｐｍ、２９４Ｎで３０分間行い、試験後の試験片の摩耗痕径を測定した。評価は、摩耗痕径により以下Ａ，Ｂ及びＣのランクとした。得られた結果を表２、３に示す。
Ａ：０．４５ｍｍ以下
Ｂ：０．４５ｍｍを越え、０．６５ｍｍ以下
Ｃ：０．６ｍｍを越える
【０１１２】
【表２】
2014095024.tif 000011
【０１１３】
【表３】
2014095024.tif 000012
【図１】
2014095024.tif 000013
【図２】
2014095024.tif 000014
【図３】
2014095024.tif 000015